(57)【要約】【課題】建物の構造物に回動自在に取り付けたドアを開放したときに、そのドアの開放状態を保持するようにしたドアストッパーを提供する。【解決手段】ドアを回動自在にする蝶番１に装着した取付具２と、取付具２から延出した支持具３と、支持具３の先端部に設けた第１吸着面４と、ドアの開放時に第１吸着面４に対向するドアに設けた第２吸着面５と、ドアの開放時に第１吸着面４および第２吸着面５を相互に接合する永久磁石６ａと、から構成されたドアストッパー。一対の永久磁石を用いた場合、それらの一方は、他の対向面の磁極に対し同種または異種になるように反転自在に取り付けられる。このようなドアストッパーは、床面ではなく、ドアの蝶番の近くに配置でき、そのため掃除する時に邪魔になったり、足で踏んづけて破損することがない。【選択図】　　　図３
2004027664.tif 000002
【特許請求の範囲】
【請求項１】
建物の構造物に蝶番を介してドアを開閉自在に取り付け、該ドアの開放時にその開放状態のドアを保持するためのドアストッパーにおいて、
前記蝶番または前記構造物のドア枠体に装着した取付具と、該取付具から延出した支持具と、該支持具の先端部に設けた第１吸着面と、前記ドアの開放時に前記第１吸着面に対向するドアの表面に設けた第２吸着面と、前記ドアの開放時に前記第１吸着面および第２吸着面を相互に接合する接合部材と、から構成したことを特徴とするドアストッパー。
【請求項２】
前記接合部材は、永久磁石と磁性片から構成され、第１吸着面および第２吸着面のいずれか一方に該永久磁石を設け、それらの他方に前記磁性片を設けたことを特徴とする請求項１に記載のドアストッパー。
【請求項３】
前記接合部材は、一対の永久磁石から構成され、第１吸着面および第２吸着面のそれぞれに永久磁石を装着したことを特徴とする請求項１に記載のドアストッパー。
【請求項４】
前記一対の永久磁石の一方は、他方の永久磁石の対向面の磁極に対し同種または異種になるように反転自在に装着したことを特徴とする請求項３に記載のドアストッパー。
【請求項５】
前記接合部材は、面ファスナーであることを特徴とする請求項１に記載のドアストッパー。
【請求項６】
前記取付具は、前記蝶番の２つの蝶板を枢支する枢支軸に軸着されていることを特徴とする請求項１〜５のいずれかに記載のドアストッパー。
【請求項７】
前記取付具は、ドアの開閉軸線方向に延びるローレットを有するロッドを備え、前記支持具には前記ロッドに装着する嵌合穴を形成し、該ロッドと前記支持具の嵌合穴とを着脱自在に嵌合したことを特徴とする請求項１〜５のいずれかに記載のドアストッパー。
【請求項８】
前記支持具は、可撓性金属板から構成したことを特徴とする請求項１〜７のいずれかに記載のドアストッパー。
【発明の詳細な説明】
【０００１】
【発明の属する技術分野】
本発明は、家庭及びオフィスにおいて、建物の構造物に回動自在に取り付けたドアを開放したときに、そのドアの開放状態を一時的に保持するようにしたドアストッパーに関する。
【０００２】
【従来の技術】
従来、出入口に蝶番を介して回動自在に取り付けられているドアにおいて、ドアを開放したとき、その開放状態を一時的に保持するドアストッパーとして種々のものが提案されている。
【０００３】
従来の一例としての第１番目のドアストッパーは、ドア上部と建物の構造物との間に油圧等の機能を備えたドアキャッチャーと呼ばれるドアー開閉制御器が取り付けられている。
【０００４】
従来の他の例としての第２番目のドアストッパーは、建物の床面に鍵フックを備えたストッパー金具とドアの下部にこの鍵フックを係止するリング状止め具からなる掛け止め金具が用いられている。
【０００５】
従来の別の他の例としての第３番目のドアストッパーは、ドアの下部に折り畳み自在な突っ張り棒を磁石で吸着させておいて、ドアーを保持するときには、この突っ張り棒を伸長させ床面で突っ張ることによりドアの移動を阻止するようにしている。
【０００６】
従来の更に他の例としての第４番目のドアストッパーは、特開平６−２２１０４５号公報で提案されているように、ドア下端面と床面それぞれに磁石を埋め込み、その磁石の相互吸引力を利用してドアの開放状態を保持するようにしている。またこの第４番目のものでは、ドアが完全に開放したときには、ドア表面と建物の壁面との間に別な一対の磁石を埋め込んでおき、このときには一対の磁石を同極性にしておいて、その反発力を利用してドア（ドアのツマミ）が壁面に衝突しないようにしている。
【０００７】
【発明が解決しようとする課題】
従来の第１番目のドアストッパーのドアキャッチャーと呼ばれるドアー開閉制御器の場合は、大型で高コスト、重量が重いので特に室内のドアには不向きである。すなわち室内のドアは木質系が多く強度的に弱いので、重量物をドア上部で支えることが難しかった。また大型なものをドア上部に取り付けるには意匠的にも抵抗があった。
【０００８】
従来の第２番目のドアストッパーの掛け止め金具の場合は、床面に取り付けた鍵フックを備えたストッパー金具が歩行や掃除の際に邪魔になり、破損したり怪我をすることもあった。またドアを開放状態に保持する度に鍵フックをドアのリング状止め具に係止せねばならず、面倒であるし、逆に鍵フックをドアのリング状止め具に係止したことを忘れてドアを閉めるとフックや止め具が破損したりドアそのものが破損することがあった。
【０００９】
従来の第３番目の突っ張り棒タイプのドアストッパーの場合は、玄関のドアのような重量のあるドアで、しかも上述したドアキャッチャーを取り付けたドアに向いているが、室内に設けられた軽くてデザインを重視するドアには不向きであり、また突っ張った時に床面を傷つけるおそれもある。
【００１０】
従来の第４番目のドアストッパーの場合は、ドアの回動軌跡に沿って床面に磁石を埋設せねばならなく、その埋設作業が大変である。またドア下端面と床面とのギャップが大きいと磁石の吸引力が減少するので、充分な保持力を得るための工夫が必要であり、また、ドアが完全に開放したときには、一対の磁石の反発力を利用してドア（ドアの取っ手）が壁面に衝突しないようにしている。しかしこの磁石はドアを回動自在にする蝶番から一番離れたドアの取っ手のある位置のドア表面に設けられておりデザイン的にも問題がある。
【００１１】
本発明の目的は、このような従来の種々のドアストッパーの抱えている課題を解決し、小型、軽量で取付が容易なドアストッパーを提供することある。
本発明の他の目的は、その取付位置が、ドアを回動自在にするための蝶番、またはその近傍となるようにし、ドアのデザインを損なうことのないドアストッパーを提供することである。
【００１２】
【課題を解決するための手段】
本発明のドアストッパーは、建物の構造物に蝶番を介してドアを開閉自在に取り付け、該ドアの開放時にその開放状態のドアを保持するためのドアストッパーにおいて、
前記蝶番または前記構造物のドア枠体に装着した取付具と、該取付具から延出した支持具と、該支持具の先端部に設けた第１吸着面と、前記ドアの開放時に前記第１吸着面に対向するドアの表面に設けた第２吸着面と、前記ドアの開放時に前記第１吸着面および第２吸着面を相互に接合する接合部材と、から構成したことを特徴とする。
【００１３】
本発明に従えば、取付具がドアの蝶番またはドア枠体に取り付けられるので、取付具や支持具などのドアストッパーが、ドアを回動させるための蝶番やその近くに配置でき、デザインを重視する室内のドアに取り付けてもドアのデザインを損なうことがない。また、ドアを開放したときには、このドアストッパーはドアの後ろ側で、且つ蝶番近くに隠れてしまうのでドアと建物との調和を保つことができる。また、ドアの開放時、支持具の第１吸着面とドアの第２吸着面とが接合部材によって相互に接合されるので、ドアを所要の通りに開放状態に保持することができる。
【００１４】
本発明のドアストッパーでは、接合部材は、永久磁石と磁性片から構成され、第１吸着面および第２吸着面のいずれか一方に該永久磁石を設け、それらの他方に前記磁性片を設けたことを特徴とする。
【００１５】
本発明に従えば、接合部材が永久磁石と磁性片から構成され、永久磁石による磁性片の磁気的吸着により、ドアが開放状態に保持される。この磁性片は、例えば鉄片から構成される。
【００１６】
また、本発明のドアストッパーでは、接合部材は、一対の永久磁石から構成され、第１吸着面および第２吸着面のそれぞれに永久磁石を装着したことを特徴とする。
【００１７】
本発明に従えば、接合部材が一対の永久磁石から構成され、一対の永久磁石の相互の磁気的吸引作用により、ドアが開放状態に保持される。
また、本発明のドアストッパーでは、一対の永久磁石の一方は、他方の永久磁石の対向面の磁極に対し同種または異種になるように反転自在に装着したことを特徴とする。
【００１８】
本発明に従えば、一方の永久磁石を他方の永久磁石の対向面の磁極と異極となるように装着することにより、一対の永久磁石は相互に磁気的に吸引するように作用し、これによって、ドアを開放状態に保持することができる。これに対して、他方の永久磁石の対向面の磁極と同極となるように装着することにより、一対の永久磁石は相互に磁気的に反発するように作用し、これによって、ドアの開放時にドアが建物の壁面などに衝突することを回避することができる。
【００１９】
また、本発明のドアストッパーでは、接合部材は、面ファスナーであることを特徴とする。
本発明に従えば、面ファスナーを利用し、第１吸着面に凹状面ファスナー（または凸状面ファスナー）を、また第２吸着面に凹状面ファスナー（または凹状面ファスナー）を設け、これら面ファスナーの係着によってドアを開放状態に保持することができる。
【００２０】
また、本発明のドアストッパーでは、取付具は、前記蝶番の２つの蝶板を枢支する枢支軸に軸着されていることを特徴とする。
本発明に従えば、蝶番を構成する枢支軸を利用することにより、コンパクトなドアストッパーとして提供することができ、またドアのデザインなどを損なうことなく取り付けることができる。
【００２１】
また、本発明のドアストッパーでは、取付具は、ドアの開閉軸線方向に延びるローレットを有するロッドを備え、前記支持具には前記ロッドに装着する嵌合穴を形成し、該ロッドと前記支持具の嵌合穴とを着脱自在に嵌合したことを特徴とする。
【００２２】
本発明に従えば、取付具のローレット状のロッドと支持具の嵌合穴とを着脱自在に装着する構成であるので、ドアの開放度合いを変えてその開放状態を保持するときには、支持具を一旦このロッドから外し、角度を変えて再度ロッドに嵌合することにより支持具の延びる方向を変えることができる。たとえば、ドアを約９０度開放したところで保持できるように支持具がロッドに嵌合している場合において、ドアを約１００度開放してその開放状態を保持するには、支持具先端の第１吸着面の位置を今まの位置より外方になるように、支持具をロッドから外して所要角度にして再度嵌合すればよく、ローレット形状にすることによって、支持具のロッドへの嵌合角度位置の調整、変更を容易に行うことができる。
【００２３】
また、本発明のドアストッパーでは、支持具は可撓性金属板から構成されていることを特徴とする。
本発明に従えば、支持具が可撓性を有するので、ドアの開放時に支持具の第１吸着面とドアの第２吸着面とが衝突しても、支持具の弾性変形でもって衝突時の衝撃を和らげることができる。
【００２４】
【発明の実施の形態】
以下、添付図面を参照して、本発明に従うドアストッパーの実施形態について説明する。
第１の実施形態
図１〜図４を参照して、第１の実施形態のドアストッパーについて説明する。図１は第１の実施形態のドアストッパーを装着したドア及び建物の出入口部分を示す斜視図、図２は図１のドアストッパーおよびその近傍を示す拡大上面図、図３は第１の実施形態のドアストッパーを示す斜視図、図４は図３のドアストッパーを取り付けた蝶番部分の一部を断面で示す部分断面図である。
【００２５】
第１の実施形態のドアストッパーは、図１から図４に示すように、例えば建物内の廊下と部屋との間に設置されるドアＤを開放状態に保持するために用いられる。この適用例では、ドアＤは、廊下と部屋との間の出入口Ａ部分に上下方向に間隔をおいて取り付けられた一対の蝶番１を介して設置され、一対の蝶番１を介して上下方向に延びる開閉軸線を中心として開閉自在に支持される。この第１の実施形態では、かかるドアストッパー１０は、上側の蝶番１に関連して適用されており、上側の蝶番１に設けられた取付具２と、取付具２から延出した支持具３と、支持具３の先端部に設けた第１吸着面４と、ドアＤの開放時に第１吸着面４に対向するドアＤの表面に設けた第２吸着面５と、ドアＤの開放時に第１吸着面４及び第２吸着面５を相互に接合する接合部材６と、から構成している。
【００２６】
出入口Ａの周囲の建物の構造物にはドア枠体７が設けられ、ドアＤは、このドア枠体７とドアＤの側端面との間に上下方向に間隔をおいて配設された一対の蝶番１を介して開閉自在に取り付けられ、一対の蝶番１は、取付用ネジによりドアＤおよびドア枠体７に取り付けられている。この形態では、ドアＤは、蝶番１を中心に閉成位置から約９０度あるいはそれ以上に開放するようになっている。
【００２７】
蝶番１は、ドアＤとドア枠体７に取り付ける（ネジ止めする）一対の蝶板１ａ、１ｂと、一対の蝶板１ａ、１ｂを回動自在に軸着する枢支軸８から構成され、この枢支軸８がドアＤの開閉軸線を構成する。第１の形態では、かかる蝶番１に金属板１ｃが枢支軸８に軸着してある。この金属板１ｃは、後述する取付具２を固定するものである。
【００２８】
取付具２は、プラスチック材や木材で円柱状に形成され、その上下方向の中央部にくびれ部が設けられ、このくびれ部に金属板１ｃが巻き付けられ、この金属板１ｃを介して取付具２が蝶番１に固定される。このように取り付けられるので、取付具２は、金属板１ｃを介して蝶番１に近接して配置されることになる。また、取付具２は、上部に小径な係合用のロッド２ａが立設され、このロッド２ａの外周には縦方向のローレットが刻設され、かかるローレットはドアＤの開閉軸線方向に延びている。
【００２９】
支持具３は、プラスチック材や金属材を用いて可撓性を有する細長い板状に構成されている。支持具３の基端部には前記取付具２のロッド２ａに着脱自在に嵌合する嵌合部３ａが、またその先端部には第１吸着面４となる収納部３ｂがそれぞれ設けられている。嵌合部３ａは板状の支持具３に巻締めされたプラスチック材、木材またはアルミ材からなるリング３１の嵌合穴の内周面に、ロッド２ａに設けられたローレットに対応する同様な凹凸状の溝が縦方向（ドアＤの開閉軸線の方向）に形成してある。そして、このリング３１の嵌合穴をロッド２ａに嵌合することにより、支持具３が取付具２に着脱自在に取り付けられる。
【００３０】
支持具３の第１吸着面４（収納部３ｂ）は、ロ字型に形成され、その外面が第２吸着面５に向かってアールを有する膨出面４ａに形成されている。このように膨出面４ａを形成することにより、ドアＤの開放度合いを変化させたとき両吸着面４、５の接触角度がずれていても、それを吸収して両吸着面４，５同士を所要の通りに吸着することができる。また、収納部３ｂは上下方向の中央部に水平な仕切り板３２が設けられている。ドアＤの開放方向が図１の開放方向と逆の場合に、支持具３は、上下反転して取付具２に取り付けて使用するが、このとき、接合部材６である永久磁石６ａが収納部３ｂに収納できるように仕切リ板３２を設けており、このように仕切り板３２を設けることにより、上下から永久磁石６ａを収納することが可能となる。このロ字型収納部３ｂ（第１吸着面４）はプラスチックやアルミニウムなどの非磁性材で製作し、それを支持具３の先端部に接着やネジ止めにて固定するようにしてもよい。
【００３１】
支持具３を取付具２に取り付ける際、嵌合部３ａのロッド２ａに対する嵌合角度位置を変えれば、支持具３の取付具２からの延出方向を変えることができる。すなわち、ドアの開放度合いを変えるとき、たとえば図２に示すドアの開放状態からその開放度合いを小さく（または大きく）したいときには、第１吸着面４の位置が図２において右側（または左側）の方にくるように、支持具３を取付具２のロッド２ａから外してその嵌合部３ａを再びロッド２ａに嵌合すればよい。
【００３２】
第２吸着面５は、第１吸着面４に対向するドアＤの表面に取り付けた板状のフェライト永久磁石から構成され、このフェライト永久磁石は、ドアＤに対し接着剤、両面接着シートまたはネジ止めにより固定されている。また、第２吸着面５は、フェライト永久磁石の代わりに、鉄板などの磁性を有する磁性片から構成してもよい。
【００３３】
接合部材６は、第１吸着面４および第２吸着面５を相互に接合するもので、支持具３の収納部３ｂに着脱自在に収納した永久磁石６ａが該当する。この実施形態にように、第２吸着面５が永久磁石で構成されている場合、永久磁石６ａと第２吸着面５のフェライト永久磁石が接合部材を構成する。永久磁石６ａは周知の鋳造タイプあるいはフェライト焼結タイプのものを使用することができ、第２吸着面５に対してＮ極またはＳ極になるよう収納部３ｂに装着する。
【００３４】
次に、上述した第１の実施形態のドアストッパーの使用状態を説明する。図１に示すように、ドアＤを開放するときには、その取っ手を持って開放する。たとえば、ドアＤが閉成状態から約９０度開放した状態で保持するように、支持具３が取付具２に対して嵌合して取り付けてあるものとすると、ドアＤを開閉軸線を中心として約９０度開放すると、図２に示すように、支持具３の第１吸着面４とドアＤの第２吸着面５とが、接合部材６としての永久磁石６ａの吸着力により、磁気的に吸着され、この磁気的吸着力によりドアＤは開放位置（図２に示す位置）に保持される。一方、ドアＤを閉めるときには、永久磁石６ａの吸着力に逆らってドアＤを閉方向に押圧すればよく、かく押圧することにより、接合部材６による接合状態、この形態では永久磁石６ａによる磁気的吸着状態を解除してドアＤを閉めることができる。尚、吸着力（保磁力）の強さの異なる永久磁石６ａを使用することにより、ドアＤを保持する際の強さ、即ち開放状態を保持する保持力を調整できる。
【００３５】
ドアＤの開放度合い、即ちその開放角度位置を変えるときは、支持具３を取付具２から一旦取り外し、取付具２に対する支持具３の角度位置を変えた後に、再度この支持具３を取付具２に嵌合すればよく、このようにすることにより、第１吸着面４の位置を今までとは別なところに変えることができ、これによって、ドアＤの開放を所望する任意の角度位置で保持することができる。
【００３６】
上述した第１の実施形態では、ドアストッパー１０を上側の蝶番１に関連して適用しているが、これに限定されず、下側の蝶番１に関連して適用するようにしてもよい。
【００３７】
第２の実施形態
次に、第２の実施形態のドアストッパーを、図５〜図７に従って説明する。図５は第２の実施形態のドアストッパーを装着したドア及び建物の出入口部分を示す斜視図、図６は第２の実施形態のドアストッパーを示す斜視図、図７は図６のドアストッパーを構成する取付具を示す図で、図７（ａ）はその正面図、図７（ｂ）は図７（ａ）におけるａ−ａ線による断面図である。以下、第２の実施形態を符号を付けて説明するが、第１の実施形態と同じ構成部品には第１の実施形態と同じ符号を記して説明する。
【００３８】
第２の実施形態では、図５から理解されるように、上述した第１の実施形態と相違するところは、取付具が蝶番に一体的に取り付けられているのではなく、蝶番の近傍で、かつ建物の構造物であるドア枠体７に取り付けたことである。
【００３９】
すなわち、取付具２０が第１の実施形態と同様な材料で円柱状に形成され、さらにその上部には同様なロッド２ａを備えている。また、取付具２０の正面部分には、上下方向（その軸線方向）に間隔をおいて一対の取り付穴２ｂ、２ｂが設けられている。この取付具２０は、図５に示すように、上側の蝶番１１のすぐ近くの下側の位置において、ドアＤが取り付けられるドア枠体７にネジ９にて固定されてある。
【００４０】
第１吸着面４を備えた支持具３は、第１の実施形態と同様に、取付具２０のロッド２ａのローレット部に嵌合する。また、第２吸着面５も、第１の実施形態と同様に、支持具３の第１吸着面４に対向するドアＤの表面に設けられる。ドアＤを開放したときの保持及び開放度合いの開放角度調節も、上述した第１の実施形態と同じである。
【００４１】
このような第２の実施形態においても、ドアストッパー１００の基本的構成が第１の実施形態と同様であるので、上述したと同様の作用効果が達成される。また、ドアストッパー１００がドア枠体７に取り付けられるので、蝶番に取り付けたと場合と同様に、ドアのデザインなどを損なうことなく、また建物、部屋などとの調和を保って取り付けることができる。
【００４２】
第３の実施形態
次いで、第３の実施形態のドアストッパーを、図８を参照して説明する。図８は第３の実施形態のドアストッパーの第１および第２吸着面部分を示す要部断面図である。
【００４３】
図８において、この第３の実施形態では、蝶番１２からから延びた支持具３の第１吸着面４に第１永久磁石６１が取付けられる。ドアＤ側の第２吸着面５には第２永久磁石６２が着脱自在に取り付けられる。第２永久磁石６２はドアＤに設けた支持具５１の上方から着脱自在に取り付けられるようになっている。図８に示すように、第１永久磁石６１と第２永久磁石６２の互いの対向面の磁極が異種になるように第２永久磁石６２を支持具５１に装着すると、第１及び第２永久磁石６１，６２の磁気的吸引作用によって、第１及び第２の実施形態と同様に、ドアＤを開放状態に保持できる。一方、ドアＤ側の第２永久磁石６２を取り外し、反転させて支持金具５１に取付け（Ｎ極とＳ極とが今までと反対になるように取り付ける）、第１および第２永久磁石６１，６２の対向面の磁極が同種になるようにすると、ドアＤを開放したときに第１および第２永久磁石６１、６２が磁気的に反発しあってドアＤを閉める方に押しやる。すなわち、このときは、ドアＤを開放状態に保持するのではなく、これ以上ドアＤが開くとドア本体またはドアＤの取っ手が建物の壁面などに衝突するので、その衝突を回避するように作用する。このよう第２永久磁石６２を反転取付可能にすることによって、ドアＤの開放状態の保持、ドアＤの壁面などへの衝突回避と複数の用途に適用することができる。
【００４４】
この第３の実施形態では、ドアＤ側に取り付ける第２永久磁石６２を反転装着可能に構成しているが、これとは反対に、支持具３側に取り付ける第１永久磁石６１を反転装着可能に構成してもよい。
【００４５】
以上、本発明に従うドアストッパーの各種実施形態にについて説明したが、本発明はかかる実施形態に限定されるものではなく、本発明の範囲を逸脱することなく種々の変形ないし修正が可能である。
【００４６】
例えば、ドアストッパー１０（１０）における支持具３を、その第１吸着面４がドアＤに近づく方向に湾曲させてスプリング性を持たせたりするようにしてもよい。また、支持具３側の第１吸着面４とドアＤ側の第２吸着面５を接合する接合部材として、永久磁石の代わりに、それ自体周知の面ファスナーを用いることもでき、この場合、支持具３およびドアＤのいずれか一方に凸状の面ファスナーを取り付け、それらの他方に凹状の面ファスナーを取り付ければよい。
【００４７】
【発明の効果】
本発明の請求項１に記載のドアストッパーよれば、蝶番または建物の構造物に設けられたドア枠体に装着した取付具と、取付具から延出した支持具と、支持具の先端部に設けた第１吸着面と、ドアの開放時に第１吸着面に対向するドアに設けた第２吸着面と、ドアの開放時に第１吸着面及び第２吸着面を相互に接合する接合部材とから構成したので、ドアストッパーは従来にように床面ではなく、ドアを回動させるための蝶番の近くに配置でき、そのため掃除する時にドアストッパーが邪魔になったり、足で踏んづけて破損することがなくなる。また、デザインを重視する建物内のドアに取り付けてもドアのデザインを損なうことがない。さらに、ドアを開放したときには、このドアストッパーはドアの後ろ側で、且つ蝶番近くに隠れてしまうのでドアと建物との調和を保つことができる。
【００４８】
また、本発明の請求項２に記載のドアストッパーによれば、接合部材が永久磁石と磁性片から構成されているので、永久磁石による磁性片の磁気的吸着により、ドアを開放状態に保持することができる。
【００４９】
また、本発明の請求項３に記載のドアストッパーによれば、接合部材が一対の永久磁石から構成されているので、一対の永久磁石の相互の磁気的吸引作用により、ドアを開放状態に保持することができる。
【００５０】
また、本発明の請求項４に記載のドアストッパーによれば、一方の永久磁石が反転自在に装着することができので、一対の永久磁石の対向面の磁極を異極となるように装着することにより、一対の永久磁石の磁気的吸引作用によって、ドアを開放状態に保持することができる一方、一対の永久磁石の対向面の磁極を同極となるように装着することにより、一対の永久磁石の磁気的反発作用によって、開放時にドアが建物の壁面などに衝突することが回避することができる。
また、本発明の請求項５に記載のドアストッパーによれば、面ファスナーを利用してドアを開放状態に保持することができる。
【００５１】
また、本発明の請求項６に記載のドアストッパーによれば、蝶番の枢支軸に取付具を取り付けることにより、コンパクトなドアストッパーとして提供することができ、またドアのデザインなどを損なうことなく取り付けることができる。
【００５２】
また、本発明の請求項７に記載のドアストッパーによれば、取付具のローレット状のロッドと支持具の嵌合穴とを着脱自在に装着する構成であるので、ドアの開放度合いを変えたときにも開放度合いに応じた開放状態に保持することができる。
【図面の簡単な説明】
【図１】第１の実施形態のドアストッパーを装着したドア及び建物の出入口部分を示す斜視図である。
【図２】図１のドアストッパーおよびその近傍を示す拡大上面図である。
【図３】第１の実施形態のドアストッパーを示す斜視図である。
【図４】図３のドアストッパーを取り付けた蝶番部分の一部を断面で示す部分断面図である。
【図５】第２の実施形態のドアストッパーを装着したドア及び建物の出入口部分を示す斜視図である。
【図６】第２の実施形態のドアストッパーを示す斜視図である。
【図７】図６のドアストッパーを構成する取付具を示す図で、図７（ａ）はその正面図、図７（ｂ）は図７（ａ）におけるａ−ａ線による断面図である。
【図８】第３の実施形態のドアストッパーの第１および第２吸着面部分を示す要部断面図である。
【符号の説明】
Ａ　出入口
Ｄ　ドア
１，１１，１２　　蝶番
２，２０　取付具
２ａ　ロッド
３　支持具
３ａ　嵌合部
４　第１吸着面
５　第２吸着面
５１　支持金具
６　接合部材
６ａ，６１，６２　永久磁石
７　ドア枠体
１０，１００　ドアストッパー
【図１】
2004027664.tif 000003
【図２】
2004027664.tif 000004
【図３】
2004027664.tif 000005
【図４】
2004027664.tif 000006
【図５】
2004027664.tif 000007
【図６】
2004027664.tif 000008
【図７】
2004027664.tif 000009
【図８】
2004027664.tif 000010